(57)【要約】【課題】印影照合の判別を容易かつ確実に行うことができ、併せて印影照合の判別に統一性を持たせることができるようにする。【解決手段】印鑑登録装置３１１により、ディスプレイ装置４に印鑑登録に必要な内容の印鑑登録画面Ａを表示させ、イメージ取り込み装置２によって取り込まれた印鑑の印影を印鑑データベース５１に登録印影として登録し、印鑑照合装置３１２により、ディスプレイ装置４に印鑑照合に必要な内容の印鑑照合画面Ｆを表示させ、印鑑データベース５１に登録された登録印影とイメージ取り込み装置２によって取り込まれた照合すべき被照合印影とを照合し、登録印影と被照合印影との照合による照合率Ｘが設定ファイル３１３の複数の閾値によって分けられたいずれかのグループに対応するかを判別し、対応するグループの色をディスプレイ装置４に表示させるようにする。【選択図】    図１
2004280202.tif 000002
【特許請求の範囲】
【請求項１】
イメージ取り込み装置により印鑑の印影を取り込む工程と、印鑑データベースに登録印影とその登録印影を示す一意の番号とが格納される工程と、
設定ファイルに前記登録印影に対する被照合印影の照合率を、その照合度合いに応じて色分け表示するためにグループ分けする複数の閾値を持たせる工程と、
ディスプレイ装置により、前記登録印影と被照合印影との照合に関わる内容を表示させる工程と、
印鑑登録装置により、前記ディスプレイ装置に印鑑登録に必要な内容の印鑑登録画面を表示させ、前記イメージ取り込み装置によって取り込まれた印鑑の印影を前記印鑑データベースに前記登録印影として登録する工程と、
印鑑照合装置により、前記ディスプレイ装置に印鑑照合に必要な内容の印鑑照合画面を表示させ、前記印鑑データベースに登録された登録印影と前記イメージ取り込み装置によって取り込まれた照合すべき被照合印影とを照合する工程とを備え、
前記印鑑照合装置は、
前記登録印影と被照合印影との照合による照合率が前記設定ファイルの複数の閾値によって分けられたいずれかのグループに対応するかを判別し、対応するグループの色を前記ディスプレイ装置に表示させる工程を有する
ことを特徴とする印影照合方法。
【請求項２】
前記印鑑登録装置は、前記印鑑登録画面として、前記登録印影に対する一意の番号の入力を促す番号入力欄と、前記登録印影のイメージ取り込みの実行を促すスキャンボタンと、前記登録印影を表示する登録印影表示欄と、登録を促す登録ボタンとを表示させる工程を有し、
前記印鑑照合装置は、前記印鑑照合画面として、前記登録印影に対する一意の番号の入力を促す番号入力欄と、入力されたその番号をもとに前記登録印影の検索の実行を促す検索ボタンと、前記登録印影を表示する登録印影表示欄と、前記被照合印影のイメージ取り込みの実行を促すスキャンボタンと、前記被照合印影を表示する被照合印影表示欄と、照合の実行を促す照合ボタンと、照合印影を表示する照合印影表示欄と、照合率を信号表示で行う信号機表示枠とを表示させる工程を有する
ことを特徴とする請求項１に記載の印影照合方法。
【請求項３】
前記設定ファイルは、前記複数の閾値のいずれか又は全てが変更可能とされていることを特徴とする請求項１又は２に記載の印影照合方法。
【請求項４】
印鑑の印影を取り込むイメージ取り込み装置と、
登録印影とその登録印影を示す一意の番号とが格納される印鑑データベースと、
前記登録印影に対する被照合印影の照合率を、その照合度合いに応じて色分け表示するためにグループ分けする複数の閾値を有する設定ファイルと、
前記登録印影と被照合印影との照合に関わる内容を表示するディスプレイ装置と、
前記ディスプレイ装置に印鑑登録に必要な内容の印鑑登録画面を表示させる機能と、前記イメージ取り込み装置によって取り込まれた印鑑の印影を前記印鑑データベースに前記登録印影として登録する機能とを有する印鑑登録装置と、
前記ディスプレイ装置に印鑑照合に必要な内容の印鑑照合画面を表示させる機能と、前記印鑑データベースに登録された登録印影と前記イメージ取り込み装置によって取り込まれた照合すべき被照合印影とを照合する機能とを有する印鑑照合装置とを備え、
前記印鑑照合装置は、
前記登録印影と被照合印影との照合による照合率が前記設定ファイルの複数の閾値によって分けられたいずれかのグループに対応するかを判別し、対応するグループの色を前記ディスプレイ装置に表示させる
ことを特徴とする印影照合システム。
【請求項５】
前記印鑑登録装置は、前記印鑑登録画面として、前記登録印影に対する一意の番号の入力を促す番号入力欄と、前記登録印影のイメージ取り込みの実行を促すスキャンボタンと、前記登録印影を表示する登録印影表示欄と、登録を促す登録ボタンとを表示させ、
前記印鑑照合装置は、前記印鑑照合画面として、前記登録印影に対する一意の番号の入力を促す番号入力欄と、入力されたその番号をもとに前記登録印影の検索の実行を促す検索ボタンと、前記登録印影を表示する登録印影表示欄と、前記被照合印影のイメージ取り込みの実行を促すスキャンボタンと、前記被照合印影を表示する被照合印影表示欄と、照合の実行を促す照合ボタンと、照合印影を表示する照合印影表示欄と、照合率を信号表示で行う信号機表示枠とを表示させる
ことを特徴とする請求項４に記載の印影照合システム。
【請求項６】
前記設定ファイルは、前記複数の閾値のいずれか又は全てが変更可能とされていることを特徴とする請求項４又は５に記載の印影照合システム。
【発明の詳細な説明】
【０００１】
【発明の属する技術分野】
本発明は、金融機関等での印影照合の確認作業を行うに際し、印影の照合率の照合度合いを色分けして表示する印影照合方法に関する。
【０００２】
【従来の技術】
金融機関等においては、予め登録してある登録印影と実際に使用された印鑑の被照合印影との印影照合を行う確認作業が行われる。その印影照合の確認作業は、一つ一つの印影を細部にわたり検証していかなければならないため、多くの人手と時間とを要してしまう。
このような印影照合を行うものとして、特許文献１に示されたものがある。これは、登録した印影の濃度勾配及び濃度勾配の方向からなる濃度勾配ベクトル、並びに照合印影の濃度勾配及び濃度勾配の方向からなる濃度勾配ベクトルを算出し、これらの濃度勾配ベクトルの距離に基づいて被照合印影の照合率を算出するようにしたものである。
【０００３】
【特許文献１】
特開２０００−９１６９
【０００４】
【発明が解決しようとする課題】
ところが、上述した特許文献１では、濃度勾配ベクトルの距離に基づいて算出された照合率を確認することで、印影照合を効率良く行えるものの、長時間の確認作業では数値で表された照合率を見間違うおそれがあるばかりか、印影照合の判別に時間がかかる場合がある。また、印影照合は、複数人で分担して行われるが、照合率に基づいた判別が個人の主観に頼ることになり、その判別の統一が困難となる場合もある。
【０００５】
本発明は、このような状況に鑑みてなされたものであり、印影照合の判別を容易かつ確実に行うことができ、併せて印影照合の判別に統一性を持たせることができる印影照合方法を提供することができるようにするものである。
【０００６】
【課題を解決するための手段】
本発明の印影照合方法は、イメージ取り込み装置により印鑑の印影を取り込む工程と、印鑑データベースに登録印影とその登録印影を示す一意の番号とが格納される工程と、設定ファイルに登録印影に対する被照合印影の照合率を、その照合度合いに応じて色分け表示するためにグループ分けする複数の閾値を持たせる工程と、ディスプレイ装置により、登録印影と被照合印影との照合に関わる内容を表示させる工程と、印鑑登録装置により、ディスプレイ装置に印鑑登録に必要な内容の印鑑登録画面を表示させ、イメージ取り込み装置によって取り込まれた印鑑の印影を印鑑データベースに登録印影として登録する工程と、印鑑照合装置により、ディスプレイ装置に印鑑照合に必要な内容の印鑑照合画面を表示させ、印鑑データベースに登録された登録印影とイメージ取り込み装置によって取り込まれた照合すべき被照合印影とを照合する工程とを備え、印鑑照合装置は、登録印影と被照合印影との照合による照合率が設定ファイルの複数の閾値によって分けられたいずれかのグループに対応するかを判別し、対応するグループの色をディスプレイ装置に表示させる工程を有することを特徴とする。
また、印鑑登録装置は、印鑑登録画面として、登録印影に対する一意の番号の入力を促す番号入力欄と、登録印影のイメージ取り込みの実行を促すスキャンボタンと、登録印影を表示する登録印影表示欄と、登録を促す登録ボタンとを表示させる工程を有し、印鑑照合装置は、印鑑照合画面として、登録印影に対する一意の番号の入力を促す番号入力欄と、入力されたその番号をもとに登録印影の検索の実行を促す検索ボタンと、登録印影を表示する登録印影表示欄と、被照合印影のイメージ取り込みの実行を促すスキャンボタンと、被照合印影を表示する被照合印影表示欄と、照合の実行を促す照合ボタンと、照合印影を表示する照合印影表示欄と、照合率を信号表示で行う信号機表示枠とを表示させる工程を有するようにすることができる。
また、設定ファイルは、複数の閾値のいずれか又は全てが変更可能とされているようにすることができる。
本発明の印影照合システムは、印鑑の印影を取り込むイメージ取り込み装置と、登録印影とその登録印影を示す一意の番号とが格納される印鑑データベースと、登録印影に対する被照合印影の照合率を、その照合度合いに応じて色分け表示するためにグループ分けする複数の閾値を有する設定ファイルと、登録印影と被照合印影との照合に関わる内容を表示するディスプレイ装置と、ディスプレイ装置に印鑑登録に必要な内容の印鑑登録画面を表示させる機能と、イメージ取り込み装置によって取り込まれた印鑑の印影を印鑑データベースに登録印影として登録する機能とを有する印鑑登録装置と、ディスプレイ装置に印鑑照合に必要な内容の印鑑照合画面を表示させる機能と、印鑑データベースに登録された登録印影とイメージ取り込み装置によって取り込まれた照合すべき被照合印影とを照合する機能とを有する印鑑照合装置とを備え、印鑑照合装置は、登録印影と被照合印影との照合による照合率が設定ファイルの複数の閾値によって分けられたいずれかのグループに対応するかを判別し、対応するグループの色をディスプレイ装置に表示させることを特徴とする。
また、印鑑登録装置は、印鑑登録画面として、登録印影に対する一意の番号の入力を促す番号入力欄と、登録印影のイメージ取り込みの実行を促すスキャンボタンと、登録印影を表示する登録印影表示欄と、登録を促す登録ボタンとを表示させ、印鑑照合装置は、印鑑照合画面として、登録印影に対する一意の番号の入力を促す番号入力欄と、入力されたその番号をもとに登録印影の検索の実行を促す検索ボタンと、登録印影を表示する登録印影表示欄と、被照合印影のイメージ取り込みの実行を促すスキャンボタンと、被照合印影を表示する被照合印影表示欄と、照合の実行を促す照合ボタンと、照合印影を表示する照合印影表示欄と、照合率を信号表示で行う信号機表示枠とを表示させるようにすることができる。
また、設定ファイルは、複数の閾値のいずれか又は全てが変更可能とされているようにすることができる。
本発明に係る印影照合方法においては、印鑑登録装置により、ディスプレイ装置に印鑑登録に必要な内容の印鑑登録画面を表示させ、イメージ取り込み装置によって取り込まれた印鑑の印影を印鑑データベースに登録印影として登録し、印鑑照合装置により、ディスプレイ装置に印鑑照合に必要な内容の印鑑照合画面を表示させ、印鑑データベースに登録された登録印影とイメージ取り込み装置によって取り込まれた照合すべき被照合印影とを照合し、登録印影と被照合印影との照合による照合率が設定ファイルの複数の閾値によって分けられたいずれかのグループに対応するかを判別し、対応するグループの色をディスプレイ装置に表示させるようにする。
【０００７】
【発明の実施の形態】
以下、本発明の実施の形態について説明する。
図１は、本発明の印影照合方法に用いられる印影照合システムを示すブロック図であり、入力装置１、イメージ取り込み装置２、印鑑サーバ本体３、ディスプレイ装置４及びディスク装置５を備えている。
入力装置１は、キーボード、マウス、タッチパネル等からなる。イメージ取り込み装置２は、スキャナ等からなり、印鑑の印影を取り込む。印鑑サーバ本体３は、印影照合支援システム３１を格納している。
印影照合支援システム３１は、印鑑登録装置３１１、印鑑照合装置３１２、設定ファイル３１３を備えている。
【０００８】
印鑑登録装置３１１は、イメージ取り込み装置２によって取り込まれた印鑑の印影を後述の印鑑データベース５１に登録印影として登録する印鑑登録機能と、図２に示すような印鑑登録に必要な内容の印鑑登録画面Ａをディスプレイ装置４に表示させる機能等とを有している。印鑑登録画面Ａの内容は、登録印影に対する一意の番号の入力を促す番号入力欄Ｂと、登録印影のイメージ取り込みの実行を促すスキャンボタンＣと、登録印影を表示する登録印影表示欄Ｄと、登録を促す登録ボタンＥとなる。
【０００９】
印鑑照合装置３１２は、後述の印鑑データベース５１に登録された登録印影とイメージ取り込み装置２によって取り込まれた照合すべき被照合印影とを照合する印鑑照合機能と、図３に示すような印鑑照合に必要な内容の印鑑照合画面Ｆをディスプレイ装置４に表示させる機能とを有している。印鑑照合画面Ｆの内容は、登録印影に対する一意の番号の入力を促す番号入力欄Ｇと、入力されたその番号をもとに登録印影の検索の実行を促す検索ボタンＨと、登録印影を表示する登録印影表示欄Ｉと、被照合印影のイメージ取り込みの実行を促すスキャンボタンＪと、被照合印影を表示する被照合印影表示欄Ｋと、照合の実行を促す照合ボタンＬと、照合印影を表示する照合印影表示欄Ｍと、照合率Ｘを信号表示で行う信号機表示枠Ｎ、Ｏ、Ｐとなる。
【００１０】
ここで、信号機表示枠Ｎ、Ｏ、Ｐは、図４に示すような信号表示を行う。すなわち、照合前の初期状態は、図４の（ａ）に示すように、全てグレーのグループ（Ｇ０）に属し、信号機表示枠Ｎ、Ｏ、Ｐが全てグレーで表示される。図４の（ｂ）に示すように、照合後の照合率Ｘが後述する青のグループ（Ｇ１）に属する場合は、たとえば左端の信号機表示枠Ｎのみが青で表示される。この場合、他の信号機表示枠Ｏ、Ｐは、グレーで表示される。図４の（ｃ）に示すように、照合後の照合率Ｘが後述する黄のグループ（Ｇ２）に属する場合は、たとえば中央の信号機表示枠Ｏのみが黄で表示される。この場合、他の信号機表示枠Ｎ、Ｐは、グレーで表示される。図４の（ｄ）に示すように、照合後の照合率Ｘが後述する赤のグループ（Ｇ３）に属する場合は、たとえば右端の信号機表示枠Ｐが赤で表示される。この場合、他の信号機表示枠Ｎ、Ｏは、グレーで表示される。
【００１１】
設定ファイル３１３は、上述した照合後の照合率Ｘを、その照合度合いに応じてたとえば青、黄、赤にグループ分けする際の複数の閾値を有し、その閾値で分けられた範囲によりそれぞれの色のグループ分けを実行する実行ファイルである。この設定ファイル３１３により、照合後の照合率Ｘがいずれかの色のグループに自動的に分けられて信号機表示枠Ｎ、Ｏ、Ｐに表示されるため、表示されるそれぞれの色を確認することで、一目で瞬時に照合度合いを判別することが可能となる。ちなみに、グループ分けする際の閾値は、青と黄の２つとし、（青の閾値：ＢＬＵＥ＞黄の閾値：ＹＥＬＬＯＷ）とすることができる。この場合、黄の閾値を下回ったものは、赤のグループとすることができる。これにより、青のグループは照合率Ｘが高く、黄のグループは照合率Ｘが中程度で、赤のグループは照合率が低いといったように分けることができる。
【００１２】
また、青のグループは同一印影であることが信頼できるもの、黄のグループは注意を要するもの、赤のグループは異なる印影であるものといったように分けることができる。なお、設定ファイル３１３のグループ分けのための閾値は、自由に設定変更することが可能である。そのため、その閾値を高めることで、照合の精度が高められる。
ディスプレイ装置４は、登録印影と被照合印影との照合に関わる内容を表示するものであり、印鑑登録装置３１１や印鑑照合装置３１２が起動されたとき、図２に示した印鑑登録画面Ａや図３に示した印鑑照合画面Ｆを表示する。ディスク装置５は、印鑑データベース５１を備えている。印鑑データベース５１には、印鑑登録装置３１１による印鑑登録機能によって登録された登録印影と、その登録印影に対応させて入力された番号等が格納される。
【００１３】
次に、印影照合における照合率表示方法について説明する。
まず、印鑑登録装置３１１が起動されると、ディスプレイ装置４に、図２の印鑑登録画面Ａが表示される。この印鑑登録画面Ａの番号入力欄Ｂに印影に対しての一意の番号を入力し、スキャンボタンＣを押下してイメージ取り込み装置２により印影を取り込むと、その印影が登録印影表示欄Ｄに表示される。ここで、登録ボタンＥを押下すると、番号入力欄Ｂで入力した番号及び登録印影表示欄Ｄに表示された印影が印鑑データベース５１に格納される。
また、図５に示すように、印鑑照合装置３１２が起動されると（ステップＡ１）、設定ファイル３１３が読み込まれ、設定ファイル３１３が有する上述した色のグループ分けを行うための閾値（ＢＬＵＥとＹＥＬＬＯＷ）が取得される（ステップＡ２）。このとき、印鑑照合装置３１２により、印鑑照合画面Ｆがディスプレイ装置４に表示され（ステップＡ３）、信号機表示枠Ｎ、Ｏ、Ｐの全ての色がグレーで表示される（ステップＡ４）。
【００１４】
ここで、印鑑照合画面Ｆの番号入力欄Ｇに、既に登録済みの印影の番号を入力して検索ボタンＨを押下すると、印鑑データベース５１から一致する番号の印影が取得され、登録印影表示欄Ｉに表示される。このとき、スキャンボタンＪを押下し、同時にイメージ取り込み装置２により被照合印影を取り込むと、その取り込まれた被照合印影が被照合印影表示欄Ｋに表示される。
登録印影表示欄Ｉと被照合印影表示欄Ｋとに印影が表示されている状態で、図６に示すように、照合ボタンＬを押下すると（ステップＢ１）、登録印影と被照合印影とを重ね合わせた画像が照合印影表示欄Ｍに表示される（ステップＢ２）。このとき、印鑑照合装置３１２による印鑑照合機能により、照合率Ｘが取得され（ステップＢ３）、取得された照合率Ｘが青の閾値であるＢＬＵＥ以上か否かが判定される（ステップＢ４）。照合率ＸがＢＬＵＥ以上であれば、図４で説明したように、照合率Ｘが青のグループ（Ｇ１）に属することになり、信号機表示枠Ｎ、Ｏ、Ｐのうち、左端の信号機表示枠Ｎのみが青で表示される（ステップＢ５）。この場合、他の信号機表示枠Ｏ、Ｐは、グレーで表示される。
【００１５】
照合率ＸがＢＬＵＥより小さい場合は、照合率Ｘが黄の閾値であるＹＥＬＬＯＷ以上か否かが判定される（ステップＢ６）。照合率ＸがＹＥＬＬＯＷ以上であれば、図４で説明したように、照合率Ｘが黄のグループ（Ｇ２）に属することになり、信号機表示枠Ｎ、Ｏ、Ｐのうち、中央の信号機表示枠Ｏのみが黄で表示される（ステップＢ７）。この場合、他の信号機表示枠Ｎ、Ｐは、グレーで表示される。さらに、（ステップＢ６）において、照合率ＸがＹＥＬＬＯＷより小さい場合、図４で説明したように、照合率Ｘが赤のグループ（Ｇ３）に属することになり、信号機表示枠Ｎ、Ｏ、Ｐのうち、右端の信号機表示枠Ｐのみが赤で表示される（ステップＢ８）。この場合、他の信号機表示枠Ｎ、Ｏは、グレーで表示される。
【００１６】
このように、本実施の形態では、印鑑登録装置３１１により、ディスプレイ装置４に印鑑登録に必要な内容の印鑑登録画面Ａを表示させ、イメージ取り込み装置２によって取り込まれた印鑑の印影を印鑑データベース５１に登録印影として登録し、印鑑照合装置３１２により、ディスプレイ装置４に印鑑照合に必要な内容の印鑑照合画面Ｆを表示させ、印鑑データベース５１に登録された登録印影とイメージ取り込み装置２によって取り込まれた照合すべき被照合印影とを照合し、登録印影と被照合印影との照合による照合率Ｘが設定ファイル３１３の複数の閾値によって分けられたいずれかのグループに対応するかを判別し、対応するグループの色をディスプレイ装置４に表示させるようにした。
これにより、照合率Ｘの照合度合いが、たとえば信号機表示枠Ｎ、Ｏ、Ｐに、青、黄、赤のいずれかで表示されるため、照合度合いの判別を瞬時に行うことができ、照合確認速度を向上させることができる。
また、照合率Ｘを３つにグループ分けし、照合率Ｘの照合度合いを青、黄、赤のいずれかで表示させるようにしたので、照合判別の個人差を排除し、照合判別に統一性を持たせることができる。
【００１７】
なお、本実施の形態では、照合率Ｘに応じて、信号機表示枠Ｎ、Ｏ、Ｐに図４の（Ｇ１〜Ｇ３）で説明したグループ分けにより、青、黄、赤の色を単に表示させる場合について説明したが、この例に限らず、それぞれの色を所定時間の間隔で点滅表示させるようにしてもよい。
また、図４で説明した青、黄、赤の３つのグループ分けの際のグループ（Ｇ１〜Ｇ３）に加え、青黄のグループ（Ｇ１１）、黄青のグループ（Ｇ１２）、黄赤のグループ（Ｇ２１）、赤黄のグループ（Ｇ２２）の４つのグループ分けを追加することも可能である。
この場合、図７に示すように、青の閾値であるＢＬＵＥから、ある一定値ＢＹだけ青よりの範囲の場合、青と同時に薄い黄を表示させるグループ（Ｇ１１）とする。また、青の閾値ＢＬＵＥから、ある一定値ＢＹだけ黄よりの範囲の場合、黄と同時に薄い青を表示するグループ（Ｇ１２）とする。黄の閾値ＹＥＬＬＯＷから、ある一定値ＹＲだけ黄よりの範囲の場合、黄と同時に薄い赤を表示するグループ（Ｇ２１）とする。また、黄の閾値ＹＥＬＬＯＷから、ある一定値ＹＲだけ赤よりの範囲の場合、赤と同時に薄い黄を表示するグループ（Ｇ２２）とする。このようなグループ分けを行わせる場合、青黄のグループ（Ｇ１１）、黄青のグループ（Ｇ１２）、黄赤のグループ（Ｇ２１）、赤黄のグループ（Ｇ２２）の４つにグループ分けができる閾値を、上述した設定ファイル３１３に設定しておけばよい。
【００１８】
そして、図８に示すように、図３の照合ボタンＬの押下時、図６に示した（ステップＢ１〜Ｂ３）まで進んだ後、照合率Ｘが青の閾値であるＢＬＵＥ以上の場合（ステップＢ４）、青を図３の信号機表示枠Ｎに表示させ（ステップＢ５）、さらにその照合率ＸがＢＬＵＥ＋ＢＹより小さい場合（ステップＢ９）、薄い黄を図３の信号機表示枠Ｏに表示させる（ステップＢ１０）。
また、（ステップＢ４）において、照合率Ｘが青の閾値であるＢＬＵＥより小さく、さらに黄の閾値であるＹＥＬＬＯＷ以上の場合（ステップＢ６）、黄を図３の信号機表示枠Ｏに表示させる（ステップＢ７）。さらに、照合率ＸがＢＬＵＥ−ＢＹ以上である場合（ステップＢ１１）、薄い青を図３の信号機表示枠Ｎに表示させる（ステップＢ１２）。これに対し、照合率ＸがＹＥＬＬＯＷ＋ＹＲより小さい場合（ステップＢ１１）、薄い赤を図３の信号機表示枠Ｐに表示させる（ステップＢ１３）。また、（ステップＢ６）において、照合率Ｘが黄の閾値ＹＥＬＬＯＷより小さい場合、赤を図３の信号機表示枠Ｐに表示させる（ステップＢ８）。さらに、照合率ＸがＹＥＬＬＯＷ−ＹＲ以上の場合（ステップＢ１４）、薄い黄を図３の信号機表示枠Ｏに表示させる（ステップＢ１５）。
これにより、印影照合は、上述した青、黄、赤の３つのグループ（Ｇ１〜Ｇ３）と、青黄のグループ（Ｇ１１）、黄青のグループ（Ｇ１２）、黄赤のグループ（Ｇ２１）、赤黄のグループ（Ｇ２２）とによる７つのグループによって行われるため、照合率Ｘの照合度合いがさらに細かく表示される。
【００１９】
【発明の効果】
以上の如く本発明に係る印影照合方法によれば、印鑑登録装置により、ディスプレイ装置に印鑑登録に必要な内容の印鑑登録画面を表示させ、イメージ取り込み装置によって取り込まれた印鑑の印影を印鑑データベースに登録印影として登録し、印鑑照合装置により、ディスプレイ装置に印鑑照合に必要な内容の印鑑照合画面を表示させ、印鑑データベースに登録された登録印影とイメージ取り込み装置によって取り込まれた照合すべき被照合印影とを照合し、登録印影と被照合印影との照合による照合率が設定ファイルの複数の閾値によって分けられたいずれかのグループに対応するかを判別し、対応するグループの色をディスプレイ装置に表示させるようにしたので、印影照合の判別を容易かつ確実に行うことができ、併せて印影照合の判別に統一性を持たせることができる。
【図面の簡単な説明】
【図１】本発明の印影照合方法に用いられる印影照合システムを示すブロック図である。
【図２】図１の印鑑登録装置の起動時に、ディスプレイ装置に表示される印鑑登録画面を示す図である。
【図３】図１の印鑑照合装置の起動時に、ディスプレイ装置に表示される印鑑照合画面を示す図である。
【図４】図３の信号機表示枠の表示例を説明するための図である。
【図５】図１の印影照合システムによる印影照合方法を説明するためのフローチャートである。
【図６】図１の印影照合システムによる印影照合方法を説明するためのフローチャートである。
【図７】図３の信号機表示枠における他の表示例を説明するための図である。
【図８】図１の印影照合システムによる他の印影照合方法を説明するためのフローチャートである。
【符号の説明】
１  入力装置
２  イメージ取り込み装置
３  印鑑サーバ本体
４  ディスプレイ装置
５  ディスク装置
３１  印影照合支援システム
５１  印鑑データベース
３１１  印鑑登録装置
３１２  印鑑照合装置
３１３  設定ファイル
Ａ  印鑑登録画面
Ｂ  番号入力欄
Ｃ  スキャンボタン
Ｄ  登録印影表示欄
Ｅ  登録ボタン
Ｆ  印鑑照合画面
Ｇ  番号入力欄
Ｈ  検索ボタン
Ｉ  登録印影表示欄
Ｊ  スキャンボタン
Ｋ  被照合印影表示欄
Ｌ  照合ボタン
Ｍ  照合印影表示欄
Ｎ，Ｏ，Ｐ  信号機表示枠
【図１】
2004280202.tif 000003
【図２】
2004280202.tif 000004
【図３】
2004280202.tif 000005
【図４】
2004280202.tif 000006
【図５】
2004280202.tif 000007
【図６】
2004280202.tif 000008
【図７】
2004280202.tif 000009
【図８】
2004280202.tif 000010